(57)【特許請求の範囲】
【請求項１】
原稿トレイ上にセットされた原稿を繰り出すピックアップ手段と、前記原稿トレイ上に複数枚セットされた原稿を１枚ずつ分離して読み取り部へ搬送するフィード手段を有し、かつ、前記ピックアップ手段とフィード手段をブラケットによってユニット化し、前記フィード手段を支えるフィード軸を２枚の側板によって保持するように構成された原稿給送装置において、
原稿有無及びサイズを検知するためのセンサの動作杆を、前記２枚の側板間にその回動支点を設けて保持させ、前記２枚の側板間に掛け渡した軸に原稿の上面をガイドするガイド板を保持させるように構成し、前記２枚の側板間に設けた回動支点を、前記ガイド板のガイド面よりも上方に前記センサの動作杆の回動支点を配置し、かつ前記ガイド板を、前記原稿トレイとフィード軸との隙間を通し、その他端を、フィード軸よりも先の位置で保持することを特徴とする原稿給送装置。
【発明の詳細な説明】
【０００１】
【発明の属する技術分野】
本発明は、ファクシミリ，複写機等に用いるに好適な原稿給送装置に関し、特に原稿セット等の検出に用いられる、光学式検知器の動作杆（いわゆる、「フィラー」）の取り付け方法を改良した原稿給送装置に関する。
【０００２】
【従来の技術】
図５に、従来のこの種の原稿給送装置の一例としての、スキャナの原稿繰り出し部の構造を示す。この原稿繰り出し部は、スキャナの筐体２と、これと回動支点３により回動可能に結合されている上部ガイドカバー１との間に、原稿トレイ５上にセットされた原稿を繰り出すピックアップローラ８と、上述の原稿トレイ５上に複数枚セットされた原稿を１枚ずつ分離して読み取り部へ搬送するフィードローラ１０とを有する。
【０００３】
上記ピックアップローラ８とフィードローラ１０とはブラケット９によってユニット化されており、また、フィードローラ１０を支えるフィード軸１１が２枚の側板４，４によって保持され、原稿トレイ５を挟んで下側に分離ローラ１２を有する。この装置は、原稿がセットされているか否かを検知するためのフォトセンサ７とフィラー６から成るセンサを有しており、この装置では、上記フィラー６は、図５に示すように、上側ガイドカバー１に保持されていた。
【０００４】
【発明が解決しようとする課題】
この原稿検知方式では、図６に示すように、原稿１３をセットしたときに、フィラー６が原稿１３に押されて矢印Ｅで示す軌跡に沿って図に６’で示される位置に回動することにより、フォトセンサ７（実際には、そのセンサ受光部７ａ）が原稿の有無及びサイズを検知するので、ピックアップローラ８は、原稿１３の先端がフィラー６を押す位置に対して、原稿１３を搬送できる位置に配置されなければならない。
【０００５】
また、フィラー６は、図５に示すように上側ガイドカバー１に保持されているので、上側ガイドカバー１がその支点３を中心に矢印Ｄで示す軌跡に沿って回動するとき、フィード軸１１に引っかからないような位置、すなわち、フィラー６とフィード軸１１間の距離を十分にとった構成としなければならない。なお、矢印Ｃで示す軌跡は、上側ガイドカバー１を開いた状態での、フィラー６が回動するときの軌跡である。
【０００６】
上述のような構成上の制約により、従来の装置では、装置のコンパクト化が困難であった。また、センサ７とフィラー６の位置決めが問題となり、部品数が多くなる傾向があった。
本発明の目的は、従来の技術における上述のような問題を解消し、フィラーの取り付け方法を改善した原稿給送装置を提供することにある。
【０００７】
【課題を解決するための手段】
上述の目的を達成するため、本発明に係る原稿給送装置においては、原稿有無及びサイズを検知するためのセンサ７の動作杆６を、上側ガイドカバー１上ではなく、スキャナの筐体２側の側板４，４間に設けた回動中心に取り付けるようにしたものである。
すなわち、本発明に係る原稿給送装置においては、原稿トレイ５上にセットされた原稿を繰り出すピックアップ手段８と、前記原稿トレイ５上に複数枚セットされた原稿を１枚ずつ分離して読み取り部へ搬送するフィード手段１０を有し、かつ、前記ピックアップ手段８とフィード手段１０をブラケット９によってユニット化し、前記フィード手段１０を支えるフィード軸１１を２枚の側板４，４によって保持するように構成された原稿給送装置において、原稿有無及びサイズを検知するためのセンサ７の動作杆６を、前記２枚の側板４，４間にその回動支点を設けて保持させたことを特徴とする。
【０００８】
また、本発明に係る原稿給送装置においては、上述の２枚の側板４，４間に掛け渡した軸に原稿の上面をガイドするガイド板１５を保持させるように構成し、上記２枚の側板４，４間に設けた回動支点を、上記ガイド板１５のガイド面よりも上方に上記センサ７の動作杆６の回動支点を配置したことを特徴とする。
更に、本発明に係る原稿給送装置においては、上述のガイド板１５を、上記原稿トレイ５とフィード軸１１との隙間を通し、その他端を、フィード軸１１よりも先の位置で保持することを特徴とする。
本発明に係る原稿給送装置は、上述のように構成したことにより、上側ガイドカバー１の開閉の際にセンサ７の動作杆６が他の部材と係合することもなく、また、センサ７の動作杆６の取り付けの際に必要となる部品数も少なくできるという効果を得られるものである。
【０００９】
【発明の実施の形態】
以下、本発明の実施の形態を図面に基づいて詳細に説明する。
図１は、本発明の一実施の形態に係る原稿給送装置の一例としての、スキャナの原稿繰り出し部（以下、「装置」ともいう）の構造を示す側断面図である。本実施の形態に係る装置は、先に従来技術の項で示した装置において、フィラーの取付け位置を改良したものである。
図１において、２はスキャナの筐体であり、上部ガイドカバー１はこの筐体２と、回動支点３により回動可能に結合されている。上部ガイドカバー１は、これを閉じた状態では、原稿搬送路の一部を形成する。
【００１０】
４は原稿繰り出し部の両側に設けられている側板である。８は原稿トレイ５上にセットされた原稿をプリフィードするピックアップローラであり、１０は原稿トレイ５上に複数枚セットされた原稿を１枚ずつ分離して読み取り部へ搬送するフィードローラである。上記ピックアップローラ８とフィードローラ１０とはブラケット９によってユニット化されており、フィードローラ１０を支えるフィード軸１１が２枚の側板４によって保持され、上述のユニットはフィード軸１１を中心して回動可能に構成されている。また、原稿ガイド板５を挟み下側に分離ローラ１２が設けられている。
【００１１】
原稿有無及びサイズを検知するためのフォトセンサ７のフィラー６は、従来の装置が上側ガイドカバー１によって保持されていたのと異なり、側板４にその回動支点を持ち、保持されている。
すなわち、従来の装置が、フォトセンサ７のフィラー６を、上側ガイドカバー１によって保持していたために生じた不都合を解消するため、本実施の形態に係る装置では、フォトセンサ７のフィラー６を、例えば、２枚の側板４の間に掛け渡した軸に係止される等の方法で、保持しているものである。
【００１２】
図２に、本実施の形態に係る装置の要部の上面図を示す。図中、記号１５で示されているのは後述するガイド板であり、１５ａはこのガイド板１５を保持すると共に、フォトセンサ７のフィラー６を回動可能に保持するための係止バーを示している。
ここで、上述の係止バー１５ａの取り付け位置は、図３に示すようにして決定すればよい。すなわち、図３に６ａ’で示される位置に上述の係止バー１５ａを配置したのでは、その回動軌跡（矢印Ｂで示す）がフィード軸１１と重複してしまう。
【００１３】
そこで、上述の係止バー１５ａの取り付け位置は、これよりも図３に６ａで示される位置側にする必要がある。言うまでもなく、フォトセンサ７の取り付け位置は、この係止バー１５ａの取り付け位置に対応して決定される。
上記実施の形態によれば、係止バー１５ａを用いて、フォトセンサ７のフィラー６を、所望の位置に回動可能に保持することができる。また、これにより、前述の従来の技術における問題を解消し、装置のコンパクト化，コストダウンにつながると共に、センサ７とフィラー６の位置決めがガイド板５で容易に行えるため、部品数の削減も可能になる。
【００１４】
フォトセンサ７のフィラー６の回動支点を、２枚の側板４の間に設ける方法としては、上記の他にも、例えば、図２に示したように、２枚の側板４，４の間に掛け渡した係止バー１５ａに、原稿の上面を案内するためのガイド板１５を固定すると同時に、フォトセンサ７のフィラー６を回動可能に保持する方法を用いることができる。
この場合には、上述の係止バー１５ａを設けるために一部を削除した上部カバー１の削除部分の代わりを、このガイド板１５で補うことができるので、原稿の搬送安定性が向上する。
【００１５】
なお、上の場合、図４に示すように、フィラー６の回動支点はガイド板１５のガイド面よりも上部になるように、また、ガイド板１５はガイド軸１１と原稿ガイド５，分離ローラ１２の間を通るように設置する。
これにより、フィード軸１１の下方が上側ガイドカバー１ではガイドできなかった点が解消し、原稿の搬送安定性を向上させると共に、原稿ジャムが発生する可能性を減少させる効果がある。
なお、上記各実施の形態はいずれも本発明の一例を示したものであり、本発明はこれらに限定されるべきものではないことは言うまでもないことである。
【００１６】
【発明の効果】
以上、詳細に説明したように、本発明によれば、装置のコンパクト化，また、センサ７とフィラー６の位置決めを容易にすると共に、部品数を減少させ得る原稿給送装置を実現できるという顕著な効果を奏するものである。
【図面の簡単な説明】
【図１】本発明の一実施の形態に係る原稿給送装置の一例としての、スキャナの原稿繰り出し部の構造を示す側断面図である。
【図２】図１に示した実施の形態に係る装置の要部の上面図である。
【図３】図１に示した実施の形態に係る装置における係止バー１５ａ，フィラー６の取り付け位置の決定方法を説明する図である。
【図４】図１に示した実施の形態に係る装置におけるフィラー６，ガイド板１５，フィード軸１１等の位置関係を説明する図である。
【図５】従来の原稿給送装置の一例としての、スキャナの原稿繰り出し部の構造を示す側断面図である。
【図６】原稿１３をセットしたときのフィラー６の回動状況を説明する図である。
【符号の説明】
１  上側ガイドカバー
２  スキャナ筐体
３  上側ガイドカバー支点
４  スキャナ側板
５  原稿ガイド板
６  フィラー
６’  回動したフィラー
６ａ,６ａ’  フィラーの回動中心
７  フォトセンサ
７ａ  フォトセンサの受光部
８  ピックアップローラ
９  ブラケット
１０  フィードローラ
１１  フィード軸
１２  分離ローラ
１３  原稿
１５  ガイド板
１５ａ  係止バー
【図１】
0003780705.tif 000002
【図２】
0003780705.tif 000003
【図３】
0003780705.tif 000004
【図４】
0003780705.tif 000005
【図５】
0003780705.tif 000006
【図６】
0003780705.tif 000007